(57)【要約】【課題】従来のカートや買い物かごでは、買い物客に動的に変化する情報を提示することができなかった。そのために、本日の特売品に関する情報や、時間制限のバーゲン情報や、現在のお買い得情報等を知らせたりすることが十分にできなかった。【解決手段】ディスプレイと、ディスプレイに情報を表示する情報表示部を具備するショッピングカートであり、かかるショッピングカートにより、動的に種々の情報を提示できるショッピングカートを提供でき、販売促進となり、また買い物にも便利である。【選択図】図１
2004106827.tif 000002
【特許請求の範囲】
【請求項１】
押手が向かう方向に電子的な情報が表示されるショッピングカート。
【請求項２】
前記情報が表示される面が、押手側の面を除く他の面に設置されている請求項１記載のショッピングカート。
【請求項３】
前記情報が表示される面が、押手側から最も遠方の面に設置されている請求項２記載のショッピングカート。
【請求項４】
前記情報が表示される面がディスプレイである請求項１から請求項３いずれか記載のショッピングカート。
【請求項５】
外部から情報を受信する情報受信部をさらに具備し、
前記電子的な情報は、前記情報受信部が受信した情報である請求項１から請求項４いずれか記載のショッピングカート。
【請求項６】
商品に関する情報である商品情報を読み取る商品情報読取部をさらに具備し、
前記電子的な情報は、前記商品情報を含む請求項１から請求項５いずれか記載のショッピングカート。
【請求項７】
前記商品情報は、当該商品の価格に関する情報である価格情報を含み、
複数の商品情報が有する複数の価格情報から合計金額を算出する合計金額算出部をさらに具備し、
前記電子的な情報は、前記合計金額を含む請求項６記載のショッピングカート。
【請求項８】
前記商品情報は、商品の属性情報を含み、
ある特定の属性情報が他の情報とは別のウィンドウに表示される請求項６または請求項７記載のショッピングカート。
【請求項９】
前記商品情報読取部は、ＲＦタグから商品情報を取得する請求項６から請求項８いずれか記載のショッピングカート。
【請求項１０】
前記商品情報読取部は、バーコードから商品情報を取得する請求項６から請求項８いずれか記載のショッピングカート。
【請求項１１】
予め決められた条件に合致した場合に、ショッピングカートの情報を表示する機能を動作可能にする活性化部をさらに具備する請求項１から請求項１０いずれか記載のショッピングカート。
【請求項１２】
前記活性化部は、カートの取っ手が握られたことを検知した場合に、情報を表示する機能を動作可能にする請求項１１記載のショッピングカート。
【請求項１３】
前記活性化部は、カートが有する車輪の動きに応じて、情報を表示する機能を動作可能にする請求項１１記載のショッピングカート。
【請求項１４】
前記活性化部は、活性化の指示命令を受信することにより、情報を表示する機能を動作可能にする請求項１１記載のショッピングカート。
【請求項１５】
前記活性化部は、記録媒体が挿入されたことを検知することにより、情報を表示する機能を動作可能にする請求項１１記載のショッピングカート。
【請求項１６】
外部から情報を受信する情報受信部と、
前記情報受信部が受信した情報を表示する情報表示部を具備する買い物かご。
【請求項１７】
ディスプレイをさらに具備し、
前記情報表示部は、前記情報を前記ディスプレイに表示する請求項１６記載の買い物かご。
【請求項１８】
商品に関する情報である商品情報を読み取る商品情報読取部をさらに具備し、
前記情報表示部は、前記商品情報を表示する請求項１６または請求項１７いずれか記載の買い物かご。
【請求項１９】
前記商品情報は、当該商品の価格に関する情報である価格情報を含み、
複数の商品情報が有する複数の価格情報から合計金額を算出する合計金額算出部をさらに具備し、
前記情報表示部は、前記合計金額を表示する請求項１８記載の買い物かご。
【請求項２０】
前記商品情報は、商品の属性情報を含み、
前記情報表示部は、ある特定の属性情報を別ウィンドウに表示する請求項１８または請求項１９記載の買い物かご。
【請求項２１】
前記商品情報読取部は、ＲＦタグから商品情報を取得する請求項１８から請求項２０いずれか記載の買い物かご。
【請求項２２】
前記商品情報読取部は、バーコードから商品情報を取得する請求項１８から請求項２０いずれか記載の買い物かご。
【請求項２３】
予め決められた条件に合致した場合に、情報を表示する機能を動作可能にする活性化部をさらに具備する請求項１６から請求項２２いずれか記載の買い物かご。
【請求項２４】
前記活性化部は、買い物かごの取っ手が握られたことを検知した場合に、情報を表示する機能を動作可能にする請求項２３記載の買い物かご。
【請求項２５】
前記活性化部は、活性化の指示命令を受信することにより、情報を表示する機能を動作可能にする請求項２３記載の買い物かご。
【請求項２６】
前記活性化部は、記録媒体が挿入されたことを検知することにより、情報を表示する機能を動作可能にする請求項２３記載の買い物かご。
【請求項２７】
請求項１４記載のショッピングカートまたは請求項２５記載の買い物かごに活性化の指示命令を送信する命令送信装置。
【請求項２８】
請求項５記載のショッピングカートまたは請求項１６記載の買い物かごに情報を送信する情報送信装置。
【請求項２９】
商品が陳列されている棚に設置されており、請求項５記載のショッピングカートまたは請求項１６記載の買い物かごに、当該陳列棚に陳列されている商品に関する情報を送信する情報送信装置。
【請求項３０】
買い物かごと、当該買い物かごが設置されるショッピングカートを有するショッピングカ
ートシステムであって、
前記買い物かごは、
情報を受信する情報受信部と、
前記ショッピングカートに当該情報を送信する情報受渡部を具備し、
前記ショッピングカートは、
前記情報を前記買い物かごから受信する情報受取部と、
前記情報を表示する情報表示部を具備するショッピングカートシステム。
【請求項３１】
買い物かごと、当該買い物かごが設置されるショッピングカートを有するショッピングカートシステムであって、
前記買い物かごは、
商品情報を読み取る商品情報読取部と、
前記ショッピングカートに当該商品情報を送信する情報受渡部を具備し、
前記ショッピングカートは、
前記情報を前記買い物かごから受信する情報受取部と、
前記情報を表示する情報表示部を具備するショッピングカートシステム。
【請求項３２】
前記ショッピングカートは、
前記商品情報が有する価格情報に基づいて合計金額を算出する合計金額算出部をさらに具備し、
前記情報表示部は、前記合計金額を表示する請求項２９記載のショッピングカートシステム。
【請求項３３】
前記情報表示部は、押手が向かう方向に情報が表示する請求項３０から請求項３２いずれか記載のショッピングカートシステム。
【請求項３４】
前記情報が表示される面が、押手側の面を除く他の面に設置されている請求項３３記載のショッピングカートシステム。
【請求項３５】
前記情報が表示される面が、押手側から最も遠方の面に設置されている請求項３４記載のショッピングカート。
【請求項３６】
前記ショッピングカートは、
ディスプレイを具備し、
前記情報表示部は、前記ディスプレイに情報を表示する
請求項３０から請求項３５いずれか記載のショッピングカートシステム。
【請求項３７】
請求項３０から請求項３６いずれか記載のショッピングカートシステムを構成する買い物かご。
【請求項３８】
請求項３０から請求項３６いずれか記載のショッピングカートシステムを構成するショッピングカート。
【発明の詳細な説明】
【技術分野】
【０００１】
　本発明は、ショッピングモールやスーパーなどで利用するカートや買い物かご等に関するものである。
【背景技術】
【０００２】
　従来のショッピングカート（以下、適宜、カートという。）や買い物かごは、ショッピングモールやスーパーなどで設置されており、買い物客は自由に利用することができる。通常、カートや買い物かごにおいて情報の提示はなかった。また、カート等に存在する情報の提示は、固定的な店の名称が書かれた看板によるものであった。
【０００３】
　かかる従来のショッピングカート等を改善する従来技術として、ディスプレイを具備するショッピングカートがある（特許文献１参照）。
【特許文献１】特開平６−１０７１８３号公報（第１頁、第１図等）
【発明の開示】
【発明が解決しようとする課題】
【０００４】
　しかしながら、上記ディスプレイを具備するショッピングカートは、ディスプレイが押手（カートを押す人）側に設置されており、かつ真上を向いている。したがって、ディスプレイ上の表示が見にくいという課題があった。また、ディスプレイを見ている時は、押手は、下を向いていることになり、移動するカートが他人の足など当たり怪我をさせる可能性があった。
【０００５】
　また、従来技術のカートでは、欲しい商品を探しながら、ディスプレイを見ることができなかった。ディスプレイが押手側の面に上向きに設置されているためである。もっとも、従来技術におけるカートは、欲しい商品が決まっている段階で、その商品が陳列されている場所を容易に見つけるためのカートであるので、そもそも、商品を見ながら、ディスプレイの表示を見ることを想定していなかった。
【０００６】
　したがって、従来技術のカートでは、本日の特売品に関する情報や、時間制限のバーゲン情報や、現在のお買い得情報等を押手（買い物客）に知らせたりすることができず、販売促進に直接的に寄与するものではなかった。
【０００７】
　また、従来技術のカートでは、買い物客にカートや買い物かごに存在する商品、つまり、買い物客が購入しようとする商品の合計金額を正確に知らせることができなかったために、買い物客は所持している以上の金額の商品をレジに持っていったり、また、商品を買いすぎたりした。
【課題を解決するための手段】
【０００８】
　以上の課題を解決するための第一の発明は、押手が向かう方向に電子的な情報が表示されるショッピングカートであり、かかるショッピングカートにより、他人に対して安全で、かつ、買い物客は、欲しい商品を探しながら、広告情報や特売情報などの、動的に変わる情報を見ることができる。したがって、お店にとっては、安全な販売促進となり、また買い物にも便利である。また、情報が表示される面が、押手側の面を除く他の面に設置されていることにより、買い物客にとって、情報がより見やすくなり、好適である。さらに、情報が表示される面が、押手側から最も遠方の面に設置されていることにより、買い物客にとって、さらに、情報がより見やすくなり、好適である。
【０００９】
　また、第二の発明は、第一の発明に対して、外部から情報を受信する情報受信部さらに具備し、当該情報受信部が受信した情報を表示するショッピングカートであり、かかるショッピングカートにより、情報送信装置等の外部の装置から自由に情報を送信でき、お店にとって都合の良い販売促進ができる。また、情報送信装置が、商品が陳列されている棚に設置されており、ショッピングカートに、当該陳列棚に陳列されている商品に関する情報を送信することにより、より一層の販売促進になり、また、買い物も便利になる。
【００１０】
　また、第三の発明は、第一の発明に対して、商品に関する情報である商品情報を読み取る商品情報読取部をさらに具備し、当該商品情報を表示するショッピングカートにより、購入した商品に関連する情報を得ることができ、買い物が便利になるとともに、販売促進に役立つ。
【００１１】
　また、第四の発明は、第三の発明に対して、商品情報は、当該商品の価格に関する情報である価格情報を含み、複数の商品情報が有する複数の価格情報から合計金額を算出する合計金額算出部をさらに具備し、当該合計金額を表示するショッピングカートにより、買い物客にとって、買いすぎを防止でき、適切な買い物を支援できる。　さらに、第五の発明は、予め決められた条件に合致した場合に、ショッピングカートの情報を表示する機能を動作可能にする活性化部をさらに具備するショッピングカートにより、省エネルギー等に役に立つ。
【発明の効果】
【００１２】
　本発明によれば、押手が向かう方向に電子的な情報が表示されるショッピングカートや買い物かごにより、安全に、かつ、商品を見ながら表示される情報を見ることができ、買い物に便利である。
【発明を実施するための最良の形態】
【００１３】
　以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【００１４】
　（実施の形態１）
図１は、本実施の形態に係るショッピングカートの概念図である。ショッピングカートは、車輪が付いており、移動されやすくなっている。ショッピングカートのかごの内部に購入しようとする商品が入れられる。
【００１５】
　図２は、本実施の形態に係るショッピングカートシステムの構成を示すブロック図である。本ショッピングカートシステムは、ショッピングカート２１と情報送信装置２２を有する。ショッピングカート２１は、ディスプレイ２１０１、情報受信部２１０２、情報表示部２１０３を具備する。情報送信装置２２は、情報格納部２２０１、情報送信部２２０２を有する。
【００１６】
　ディスプレイ２１０１は、情報を表示する媒体であり、液晶や有機ＥＬなどの薄型のデバイスで実現されることが好適であるが、その媒体は問わない。ディスプレイ２０１は、図１に示すように、カートを押す買い物客に見やすい位置に設置されることが好適であり、特に、ユーザがショッピングカートを押す際に、ユーザの真正面に設置されていることが好適である。ディスプレイ２１０１は、当然ながら、プロジェクターも含む。つまり、プロジェクターとスクリーンがカートに設置されていても良い。かかる場合、プロジェクターは、カートの押手（買い物客）側に設置さて、スクリーンが押手側から最も遠方の面に設置されていることが好適である。ただし、押手が向かう方向に情報が表示されれば良い。
【００１７】
　情報受信部２１０２は、情報送信装置２２から情報を受信する。情報受信部２１０２は
、通常、無線の通信手段により実現され得るが、放送を受信する手段でも実現可能である。
【００１８】
　情報表示部２１０３は、情報受信部２１０２が受信した情報をディスプレイ２１０１等に表示する。情報表示部２１０３は、電子的な情報を他の手段で表示するものでも良い。例えば、情報表示部２１０３は、情報をホログラムで表示しても良い。また、情報表示部２１０３は、ヘッドマウントディスプレイで情報を表示するものでも良い。情報表示部２１０３は、通常、ソフトウェアで実現されるが、ハードウェア（専用回路）により実現しても良い。
【００１９】
　情報格納部２２０１は、情報を格納している。情報格納部２２０１が格納している情報は、例えば、本日の特売品に関する情報や、時間制限のバーゲン情報や、現在のお買い得情報等である。情報の構造やデータタイプ（テキスト、音声、静止画、動画など）は問わない。情報格納部２２０１は、不揮発性の記録媒体が好適であるが、揮発性の記録媒体でも良い。
【００２０】
　情報送信部２２０２は、情報格納部２２０１に格納されている情報を、ショッピングカート２１に送信する。情報送信部２２０２は、通常、無線の通信手段により実現され得るが、放送手段でも実現可能である。
【００２１】
　以下、本実施の形態に係るショッピングカートシステムの動作について説明する。まず、情報送信装置２２の動作について説明する。今、情報格納部２２０１には複数の情報が格納されている。情報送信部２２０２は、情報格納部２２０１に格納している複数の情報から一の情報を順次取り出す。次に、情報送信部２２０２は、取り出した情報を１以上のショッピングカート２１に送信する。なお、情報送信部２２０２は、１以上のショッピングカート２１に情報を送信するための情報を保持している。情報を送信するための情報とは、例えば、ＩＰアドレスやＭＡＣアドレス等である。ＩＰアドレスは、通常、１２８ビット表記のＩＰｖ６のアドレスであるが、３２ビット表記のＩＰｖ４のアドレスでも構わない。
【００２２】
　また、情報送信装置２２が送信する情報を取得するアルゴリズムは問わない。情報送信装置２２は、複数の情報から一の情報を順次取り出しても良いし、乱数で適当な情報を取り出しても良いし、情報に属性値が付与されており、その属性値に基づいて情報を取得しても良い。属性値とは、例えば、雨の日に適した情報と晴れの日に適した情報を識別する情報であり、情報送信装置２２は、かかる属性値と本日の天気の情報により情報を選択しても良い。また、属性値とは、例えば、時刻に関する情報であり、情報送信装置２２が保持している時計と時刻を示す属性値により、情報送信装置２２は、情報を選択しても良い。
【００２３】
　次に、ショッピングカート２１の動作について説明する。情報受信部２１０２は、情報を受信し、情報表示部２１０３は当該情報をディスプレイ２１０１に表示する。なお、情報が音情報や光の情報等を含む場合は、図示しないスピーカーから音声情報や信号音が出力され、またＬＥＤ等から光が出力される。
【００２４】
　以下、本実施の形態におけるショッピングカートシステムの具体的な動作について説明する。今、図３に示すようなショッピングカートシステムが存在する。つまり、一の情報送信装置と複数のショッピングカートが存在する。
【００２５】
　また、情報送信装置の情報格納部は、図４の情報を保持している。図４の情報は、テキスト情報や動画情報や音声情報や静止画情報などが存在する。図４の情報は、特売品情報や、商品の広告情報等である。かかる場合に、情報送信装置は、図４の「ＩＤ＝１」の情報から順次取得し、１以上のショッピングカートに取得した情報を送信する。
【００２６】
　ショッピングカートは、受信した情報を出力する。出力とは、ディスプレイへの表示や
スピーカー等への出力である。なお、ショッピングカートにプリンタが設置されており、受信した情報を印刷しても良い。さらに、ショッピングカートは受信した情報に基づいて、ＬＥＤ等を利用した光出力を行っても良い。例えば、商品の価格の情報を受信して、価格帯によってＬＥＤの色を変えて出力するなどが考えられる。ショッピングカートの情報出力例は、図５である。図５によれば、ショッピングカートにおいて、ディスプレイへ情報が出力され、かつ、音声出力されている。なお、音の出力は、信号音出力等でも良い。
【００２７】
　以上、本実施の形態によれば、買い物客が、買い物中に常に保持しているショッピングカートに広告情報や特売等の情報を出力することができる。かかる情報出力により、店にとって販売促進になり、また、ユーザにとって必要な情報を適切に簡単に得ることができる。
【００２８】
　なお、本実施の形態において、ショッピングカートは情報を外部の情報送信装置から受信したが、情報はショッピングカートが保持していても良い。つまり、ショッピングカートはスタンドアロンの情報処理装置でも良い。従って、ショッピングカートは、ディスプレイと、ディスプレイに情報を表示する情報表示部を具備すれば良い。また、ショッピングカートがスタンドアロンの場合は、ショッピングカートは、ディスプレイと、情報を格納している情報格納部と情報格納部の情報をディスプレイに表示する情報表示部を具備するショッピングカートである。
【００２９】
　また、本実施の形態において、ディスプレイは、ユーザがショッピングカートを押す側の面の前面上部に設置されていたが、ディスプレイの位置は問わない。但し、ディスプレイはユーザが見えやすい位置に存在することが好適である。例えば、図６のような位置にディスプレイが設置されていても良い。つまり、押手が向かう方向に電子的な情報が表示されるショッピングカートであれば良い。また、情報が表示される面が、押手側の面を除く他の面に設置されていれば、見やすい情報の表示が可能となり好適である。具体的には、図２５に示すように、ショッピングカートの角の支柱にディスプレイが設置され、かつ、押手に対して正面でなくても良い。かかる態様でも、押手は、陳列棚の商品を見ながら、情報を見ることができる。また、図２６に示すように、ショッピングカートの押手側の面を除く他の面にディスプレイが設置されていても良い。図２６において、ディスプレイは、ショッピングカートの押手側の面（図２６の取っ手２６０１が設置されている面）ではない横の面の支柱にディスプレイが設置されている。なお、図２５、図２６において、支柱がなく、ショッピングカートの面に直接に、ディスプレイが設置されていても良い（図２７参照）。また、例えば、図２７において、ディスプレイが折りたため、収納できる態様が好適である。なお、図６のように、情報が表示される面（ここでは、ディスプレイ）が、押手側から最も遠方の面に設置されていることは、非常に情報が見やすく、多くの押手にとって好適である、と考えられる。かかることは、他の実施の形態においても同様である。
【００３０】
　また、本実施の形態において、カートの形状は問わない。カートは、例えば、購入する商品を格納する部位（かご）がなく、購入する商品を格納する買い物かごを載せる形状のカートでも良い。かかるカートの例を図１９および図２０に示す。図１９のカートでは、ディスプレイは買い物客の遠い面の正面に設置されている。また、図２０のカートでは、ディスプレイは買い物客の近い面の正面に設置されている。かかることは、他の実施の形態においても同様である。
【００３１】
　また、本実施の形態において、ショッピングカートの代わりに、買い物かごでも良い。つまり、上述した動作を行う買い物かごである。買い物かごは、ショッピングカートと比較して、車輪がなく、ユーザが手にぶら下げるような形態である。かかる場合の買い物かごは、ディスプレイとディスプレイに情報を表示する情報表示部を具備する買い物かごである。かかる買い物かごの例を図７および図８に示す。図７の買い物かごは、ディスプレ
イをかごの上部に有する。図７の買い物かごは、ディスプレイがかごの一面を構成する。
【００３２】
　また、情報送信装置などの外部の装置から情報を受信する情報受信部と、情報受信部が受信した情報をディスプレイに表示する情報表示部を具備する買い物かご、である。
【００３３】
　さらに、本実施の形態における各種の処理は、ソフトウェアによって実現し、ソフトウェアダウンロードにより提供しても良い。また、かかるソフトウェアをＣＤ−ＲＯＭ等の記録媒体に記録して配布しても良い。かかる実現手段に種々のものがあることは、他の実施の形態においても同様である。
【００３４】
　（実施の形態２）
図９は、本実施の形態に係るショッピングカート９１の構成を示すブロック図である。ショッピングカート９１は、ディスプレイ２１０１、商品情報読取部９１０２、合計金額算出部９１０３、情報表示部９１０４を具備する。
【００３５】
　商品情報読取部９１０２は、商品に関する情報である商品情報を読み取る。商品情報は、例えば、商品の価格に関する情報である価格情報を含む。商品情報は、例えば、関連商品の販売促進のための情報を含む。また、商品情報は、例えば、商品の詳細な機能や量や産地などの情報も含む。商品情報読取部９１０２は、例えば、ＲＦタグから商品情報を取得するタグリーダーである。かかる場合、商品や商品を代理する札等にＲＦタグが貼付されている。ＲＦタグには、商品情報や商品情報を取得するための識別子等が記録されている。また、商品情報読取部９１０２は、例えば、バーコードから商品情報を取得するバーコードリーダである。かかる場合、商品や商品を代理する札等にバーコードが貼付されている。バーコードにより、商品情報が取得され得る。なお、バーコードは、二次元バーコードやマイクロバーコードなどを含む概念であることは言うまでもない。また、バーコードリーダはいわゆるＯＣＲも含む。つまり、バーコードの代わりに印刷された文字でも良い。かかることは、本明細書全般に渡って言えることである。
【００３６】
　合計金額算出部９１０３は、複数の商品情報が有する複数の価格情報から合計金額を算出する。合計金額算出部９１０３は、通常、ソフトウェアにより実現されるが、ハードウェア（専用回路）で実現されても良い。
【００３７】
　情報表示部９１０４は、合計金額算出部９１０３が算出した合計金額をディスプレイ２１０１に表示する。また、情報表示部９１０４は、商品情報読取部９１０２が読み取った商品情報をディスプレイ２１０１に表示する。情報表示部９１０４は、合計金額と商品情報の両方を表示しても良いし、どちらか一方を表示しても良い。情報表示部９１０４は、通常、ソフトウェアにより実現されるが、ハードウェア（専用回路）で実現されても良い。
【００３８】
　次に、ショッピングカート９１の動作について図１０のフローチャートを用いて説明する。
（ステップＳ１００１）商品情報読取部９１０２は、商品情報を読み取ったか否かを判断する。商品情報を読み取ればステップＳ１００２に行き、商品情報を読み取らなければステップＳ１００１に戻る。
【００３９】
　（ステップＳ１００２）合計金額算出部９１０３は、ステップＳ１００１で読み取った商品情報に基づいて価格情報（商品の値段を示す情報）を取得する。
【００４０】
　（ステップＳ１００３）合計金額算出部９１０３は、今までの価格情報を考慮した商品の合計金額（今まで読み込んだ価格情報の合計金額）を算出する。
【００４１】
　（ステップＳ１００４）情報表示部９１０４は、ステップＳ１００１で読み取った商品情報に基づいて価格情報以外の情報（その他の情報）を取得する。その他の情報とは、例えば、商品情報読取部９１０２が読み取った商品情報の商品に関連する商品の情報である
。つまり、商品情報読取部９１０２が読み取った商品情報の商品が、お好み焼きの粉である場合には、その他の情報とは、例えば、ソースの商品の情報である。また、その他の情報とは、例えば、商品情報読取部９１０２が読み取った商品情報の商品そのものの情報でも良い。
【００４２】
　（ステップＳ１００５）情報表示部９１０４は、ステップＳ１００３で算出した合計金額を表示する。
（ステップＳ１００６）情報表示部９１０４は、ステップＳ１００４で取得した情報を表示する。
【００４３】
　なお、図１０のフローチャートにおいて、ショッピングカート９１は、電源オフや外部からの動作終了命令等の割り込みにより、動作を終了する。また、図１０のフローチャートにおいて説明した動作は、合計金額とその他の情報の両方を表示する動作であったが、どちらか一方を表示する動作でも良い。
【００４４】
　以下、本実施の形態におけるショッピングカートの具体的な動作について説明する。今、図１１に示すようなショッピングカートが存在する。ショッピングカートには、液晶モニタとバーコードリーダが設置されている。買い物客（ユーザ）は、購入しようとする商品をカートに入れる際に、商品に添付されているバーコードをバーコードリーダにより読み込ませる。かかるバーコードリーダにより商品の価格が分かる。そして、ショッピングカートは、読み込んだ商品の合計価格を、例えば、図１２のように表示する。
【００４５】
　また、バーコードにより、購入しようとする（カートに入れた）商品に関連する情報が得られる、とする。かかる場合、ショッピングカートのディスプレイには、図１３のように、合計金額とともに、商品の情報が表示される。図１３は、お好み焼きの粉をカートに入れて、バーコードを読み込ませた場合の表示であり、お好み焼きの粉に関連するお好み焼きソースの商品情報（広告情報）が表示されている。
【００４６】
　以上、本実施の形態によれば、買い物客が買い物中に常に保持しているショッピングカートに、カートに入れた商品の合計金額が出力される。従って、ユーザは、商品を買いすぎることがなく、レジに行ってから所持金が足りなかった、ということがなくなる。また、商品情報を読み込み、出力することにより、カートに入れた商品に関する商品情報（当該商品の情報そのものや当該商品に関連する商品の情報など）をユーザに知らしめることができ、店にとっては販売促進となり、ユーザにとっては効果的に買い物ができるようになる。
【００４７】
　なお、本実施の形態において、ショッピングカートはバーコードリーダを具備していたが、商品の情報を読み取る商品情報読取部の実現手段は問わない。例えば、商品情報読取部はＲＦタグのリーダでも良い。かかる場合は、商品にはＲＦタグが貼付されている。
【００４８】
　また、本実施の形態において、商品情報は、商品に関する特別な情報である属性情報を含む、かかる属性情報が存在する場合に、ディスプレイの別ウィンドウに属性情報を表示しても良い。属性情報の例は、例えば、大根の生産者を示す「山川Ａ雄のこだわり大根！」などの広告情報がある。かかる属性情報の表示例を図２４に示す。図２４によれば、属性情報は別ウィンドウに目立つ形態で表示される。商品情報が有する属性情報が別ウィンドウで表示されることは、他の実施の形態においても同様である。
【００４９】
　また、本実施の形態において、実施の形態１におけるような情報送信装置から情報を受信して表示する構成を具備しても良い。かかる場合、カートは、情報受信部をさらに具備し、情報表示部は情報受信部が受信した情報をも表示する。
【００５０】
　また、本実施の形態において、合計金額を出力する機能は必須ではない。つまり、合計金額算出部は必須ではない。かかる場合のカートは、ディスプレイと、商品に関する情報
である商品情報を読み取る商品情報読取部と、商品情報をディスプレイに表示する情報表示部を具備するショッピングカートである。
【００５１】
　さらに、本実施の形態において、ショッピングカートの代わりに、買い物かごでも良い。つまり、上述した動作を行う買い物かごである。買い物かごは、バーコードリーダやＲＦタグリーダー等の情報読取手段を具備している。買い物かごは、ショッピングカートと比較して、車輪がなく、ユーザが手にぶら下げるような形態である。かかる場合の買い物かごは、ディスプレイと商品情報読取部とディスプレイに情報を表示する情報表示部と、を具備する買い物かごである。
【００５２】
　（実施の形態３）
図１４は、本実施の形態に係るショッピングカートシステムの構成を示すブロック図である。本ショッピングカートシステムは、ショッピングカート１４１と情報送信装置２２を有する。ショッピングカート１４１は、活性化部１４１０１、ディスプレイ２１０１、情報受信部２１０２、情報表示部２１０３を具備する。
【００５３】
　活性化部１４１０１は、ショッピングカート１４１の状態等が予め決められた条件に合致した場合に、ディスプレイ２１０１または／および情報受信部２１０２または／および情報表示部２１０３を活性化する。つまり、活性化部１４１０１は、予め決められた条件に合致した場合に、ショッピングカート１４１の情報表示を可能にする。
【００５４】
　活性化部１４１０１の実現手段は、上記の条件によって異なる。活性化部１４１０１は、例えば、カートの取っ手が握られたことを検知した場合に、例えば、ディスプレイ２１０１を活性化する。かかる場合、カートの取っ手には、圧力センサーや温度センサー等、取っ手が握られたことを検知する手段が設置されている。活性化部１４１０１は、かかるセンサーの値から取っ手が握られたことを検知し、取っ手が握られたことを検知した場合に、例えば、ディスプレイ２１０１
を活性化する。ディスプレイ２１０１を活性化する、とは、ディスプレイ２１０１に情報を表示できる状態にすることを言い、例えば、ディスプレイ２１０１の電源をオフからオンにすることや、ディスプレイ２１０１が待機状態の場合に、主電源をオンにすることを言う。詳細な具体例は、以下で述べる。
【００５５】
　次に、ショッピングカート１４１の動作について図１５のフローチャートを用いて説明する。
【００５６】
　（ステップＳ１５０１）活性化部１４１０１は、ショッピングカート１４１の状態等が予め決められた条件に合致したか否かを判断する。予め決められた条件に合致すればステップＳ１５０２に行き、予め決められた条件に合致しなければ
ステップＳ１５０１に戻る。
【００５７】
　（ステップＳ１５０２）活性化部１４１０１は、ディスプレイ２１０１または／および情報受信部２１０２または／および情報表示部２１０３を活性化（動作可能に）する。
【００５８】
　（ステップＳ１５０３）情報受信部２１０２は、情報送信装置２２から情報を受信したか否かを判断する。情報を受信すればステップＳ１５０４に行き、情報を受信しなければステップＳ１５０３に戻る。
【００５９】
　（ステップＳ１５０４）情報表示部２１０３は、ステップＳ１５０３で受信した情報を表示する。なお、情報に音声情報等を含む場合は、音声等も出力される。
【００６０】
　以下、本実施の形態におけるショッピングカートシステムの具体的な動作について説明する。今、図１６に示すようなショッピングカートシステムが存在する。
【００６１】
　ショッピングカートシステムは、情報送信装置２２とショッピングカート１４１を有する。また、商品が置かれている陳列棚に無線通信手段１６０１を有する情報送信装置２２が設置されている。なお、図１６には、情報送信装置２２の本体部分は表示されていない。無線通信手段１６０１は、上述の情報送信部２２０２であり、ここでは、例えば、近距離無線通信規格のブルートゥースで実現されている。
【００６２】
　また、情報送信装置の情報格納部２２０１は、図１７の情報を保持している。図１７の情報は、陳列棚に陳列されている商品に関する情報である。この陳列棚は、調味料を陳列している棚である。ショッピングカート１４１は、無線通信手段１６０２、コントロールユニット１６０３、ディスプレイ２１０１を具備する。無線通信手段１６０２は、例えば、ブルートゥースで実現されており、上述の情報受信部２１０２に該当する。
【００６３】
　コントロールユニット１６０３は、車輪の動作を検知し、例えば、ショッピングカート１４１が一定時間内に一定以上の距離を動いた場合に、条件に合致したとして（買い物客が買い物のためにカートを動かし始めたとして）、ディスプレイ２１０１等を活性化する。なお、車輪の動作を検知する手段、車輪の移動距離を測定する手段は既存技術であるので、詳細な説明は省略する。
【００６４】
　かかる場合、コントロールユニット１６０３は、タイマーを保持しており、一定時間内に一定以上の距離の移動があったか否かを検知するソフトウェアまたはハードウェア（専用回路）で実現され得る。
【００６５】
　ディスプレイ２１０１等を活性化した後、ショッピングカート１４１は、情報送信装置２２から情報を受信でき、当該情報をディスプレイ２１０１に表示できる。ショッピングカート１４１は、図１７の情報を順に受信し、表示する。情報の表示の例は、図１８である。
【００６６】
　以上、本実施の形態によれば、買い物客がショッピングカートを実際に利用する場合に、ショッピングカートが動作可能になることにより、省エネルギーが実現できる。また、音声や信号音の出力を伴う場合には、無用な音の出力を無くすことができ、落ち着いて買い物が楽しめる。さらに、ＬＥＤ等の光出力を伴う場合は、目障りな光を無くすことができ、落ち着いて買い物が楽しめる。
【００６７】
　また、本実施の形態によれば、陳列棚の近くにカートが寄った際に、当該陳列棚特有の情報がカートに表示されることにより、買い物客にとって便利であり、かつ、お店にとって販売促進となる。
【００６８】
　また、本実施の形態において、活性化部１４１０１は、カートが有する車輪の動きを検知して、ディスプレイ２１０１等を活性化したが、他の手段で実現しても良い。他の手段とは、例えば、カートの取っ手に、圧力センサーや温度センサー等、取っ手が握られたことを検知する手段が設置されており、活性化部は、かかるセンサーの出力に応じてショッピングカートを活性化しても良い。また、活性化部は、ＩＣカードを読み込んだ際（挿入された際）、または半導体メモリーなどのメモリーが挿入されたことを検知して、ディスプレイ２１０１等を活性化しても良い。通常、ＩＣカードや半導体メモリーなどの記録媒体には、買い物客の属性情報（氏名、年齢、嗜好、趣味、家族構成など）が記録されている。嗜好とは、例えば、ベジタリアンであるとか、ある特定の宗教を信心していることなども含む。ある特定の宗教を信心している場合には、ある特定の食料品が食べられない。
【００６９】
　また、活性化部は、活性化の指示命令を受信することにより、ディスプレイ等を活性化しても良い。活性化の指示命令は、例えば、買い物客が利用する前のカートを複数、納めている場所に、指示命令を送信する指示命令送信部を具備する命令送信装置が設置されて
いる等の態様が考えられる。その他、ショッピングカートを活性化するための条件は、何でも良い。なお、ショッピングカートは、命令送信装置から命令を受信している間は、ディスプレイの電源をオフにし、命令を受信しなくなった（つまり、カートを収める場所から離れたことを検知した）場合に、ディスプレイの電源をオンにするなどの活性化を行っても良い。
【００７０】
　また、本実施の形態における活性化部は、実施の形態１または実施の形態２におけるショッピングカートに具備されていても良い。
【００７１】
　また、本実施の形態において説明した陳列棚に設置された情報送信装置から情報を受信するショッピングカートの構成は、実施の形態１または実施の形態２において採用されても良い。
【００７２】
　また、情報送信装置とは別の装置に送信するべき情報が格納され、その別の装置から情報を取得した情報送信装置から、ショッピングカートは情報を受信しても良い。
【００７３】
　さらに、本実施の形態において、ショッピングカートの代わりに、買い物かごでも良い。つまり、活性化部を具備する買い物かごである。例えば、買い物かごは、その取っ手に圧力センサーを有しており、かかる圧力センサーの値が一定値以上の場合に、買い物かごが具備するディスプレイ等を活性化する。
【００７４】
　（実施の形態４）
図２１は、本実施の形態に係るショッピングカートシステムの概念図である。ショッピングカートシステムは、情報送信装置２２と買い物かご２１１とショッピングカート２１２とを有する。買い物かご２１１は情報送信装置２２から情報を受信し、ショッピングカート２１２に渡す。また、買い物かご２１１は商品情報を読み取り、ショッピングカート２１２に渡す。ショッピングカート２１２は、ディスプレイを具備する。そして、ショッピングカート２１２は、買い物かご２１１から受信した情報をディスプレイに表示する。
【００７５】
　図２２は、ショッピングカートシステム構成を示すブロック図である。買い物かご２１１は、情報受信部２１０２、商品情報読取部９１０２、情報受渡部２１１０１を具備する。ショッピングカート２１２は、ディスプレイ２１０１、情報受取部２１２０１、合計金額算出部９１０３、情報表示部２１２０２を具備する。
【００７６】
　情報受渡部２１１０１は、情報受信部２１０２が受信した情報、または／および商品情報読取部９１０２が読み取った商品情報をショッピングカート２１２に送信する。情報受渡部２１１０１は、通常、無線または有線の通信手段により実現され得る。無線の通信手段は、近距離無線通信規約のブルートゥースが好適である。
【００７７】
　情報受取部２１２０１は、情報受渡部２１１０１から送信された情報を受信する。情報受取部２１２０１は、通常、無線または有線の通信手段により実現され得る。無線の通信手段は、近距離無線通信規約のブルートゥースが好適である。
【００７８】
　情報表示部２１２０２は、情報受取部２１２０１が受信した情報、または／および合計金額算出部９１０３が算出した合計金額をディスプレイ２１０１に表示する。
【００７９】
　次に、ショッピングカートシステムの動作について説明する。買い物かご２１１は、情報受信部２１０２が受信した情報、または／および商品情報読取部９１０２が読み取った商品情報をショッピングカート２１２に送信する。ショッピングカート２１２は、買い物かご２１１から送信された情報を受信し、購入しようとする商品の合計金額を表示したり、受信した商品情報等を表示したりする。
【００８０】
　以上、本実施の形態によれば、買い物かごとショッピングカートが一体となって、またはショッピングカートの上に買い物かごが設置される場合に、買い物かごで情報の受信や
商品情報の読み取りを行い、ショッピングカートで情報を表示したり、合計金額を算出し表示したりする。つまり、情報を表示したくない買い物客や手軽に買い物したい買い物客は、買い物かごだけを持って買い物でき、種々の情報が欲しい買い物客は、買い物かごをカートに設置して買い物できる。
【００８１】
　なお、本実施の形態によれば、ショッピングカートを利用した買い物客は各種の情報を見たり、聞いたりできることになっていたが、買い物客の選択で、ショッピングカートを利用しても、各種の情報を見たり、聞いたりしなくても良い構造でも良い。例えば、図２３に示すように、ショッピングカートのディスプレイに電源ボタンが存在し、買い物客は電源ボタンでディスプレイをオフにすることができる。また、例えば、買い物客はリモコンでショッピングカートの情報出力機能をオフにすることができても良い。また、他の実施の形態においても、買い物客の操作により、ショッピングカートや買い物かごの情報出力機能をオフにすることができても良い。また、ショッピングカートや買い物かごは、ディスプレイにスクリーンセーバーなどを表示して、買い物客の買い物に関する情報（購入している商品の情報や合計金額）を非表示にしても良い。
【００８２】
　また、本実施の形態によれば、情報の受信、商品情報の読み取り、情報の出力を買い物かごとショッピングカートで分担して行ったが、他の分担方法でも良い。つまり、例えば、情報の受信のみ買い物かごで行い、商品情報の読み取り、情報の出力をショッピングカートで行っても良い。また、例えば、情報の受信のみショッピングカートで行い、商品情報の読み取り、情報の出力を買い物かごで行っても良い。その他、種々の組み合わせが考えられる。
【００８３】
　さらに、本実施の形態において、活性化部はショッピングカートにも買い物かごにも存在しなかったが、ショッピングカートまたは／および買い物かごに活性化部が存在しても良い。
【産業上の利用可能性】
【００８４】
　以上のように、本発明は、安全に、かつ、商品を見ながら表示される情報を見ることができ、買い物に便利であるという効果を有し、ショッピングカート等として有用である。
【図面の簡単な説明】
【００８５】
【図１】実施の形態１に係るショッピングカートの概念図
【図２】実施の形態１に係るショッピングカートシステムの構成を示すブロック図
【図３】実施の形態１に係るショッピングカートシステムの概念図
【図４】実施の形態１に係る情報格納部の情報の例を示す図
【図５】実施の形態１に係るショッピングカートの情報出力例を示す図
【図６】実施の形態１に係るショッピングカートの例を示す図
【図７】実施の形態１に係る買い物かごの例を示す図
【図８】実施の形態１に係る買い物かごの例を示す図
【図９】実施の形態２に係るショッピングカートの構成を示すブロック図
【図１０】実施の形態２に係るショッピングカートの動作について説明するフローチャート
【図１１】実施の形態２に係るショッピングカートの概念図
【図１２】実施の形態２に係るショッピングカートの情報出力例を示す図
【図１３】実施の形態２に係るショッピングカートの情報出力例を示す図
【図１４】実施の形態３に係るショッピングカートシステムの構成を示すブロック図
【図１５】実施の形態３に係るショッピングカートの動作について説明するフローチャート
【図１６】実施の形態３に係るショッピングカートシステムの概念図
【図１７】実施の形態３に係る情報格納部の情報の例を示す図
【図１８】実施の形態３に係るショッピングカートの情報出力例を示す図
【図１９】実施の形態１に係るショッピングカートの外観図
【図２０】実施の形態１に係るショッピングカートの外観図
【図２１】実施の形態４に係るショッピングカートシステムの概念図
【図２２】実施の形態４に係るショッピングカートシステムのブロック図
【図２３】実施の形態４に係るショッピングカートの概念図
【図２４】実施の形態２に係るショッピングカートの情報出力例を示す図
【図２５】実施の形態１に係るショッピングカートの例を示す図
【図２６】実施の形態１に係るショッピングカートの例を示す図
【図２７】実施の形態１に係るショッピングカートの例を示す図
【符号の説明】
【００８６】
　２１、９１、１４１　ショッピングカート
　２２　情報送信装置
　２０１　ディスプレイ
　１６０１、１６０２　　無線通信手段
　１６０３　コントロールユニット
　２１０１　ディスプレイ
　２１０２　情報受信部
　２１０３、９１０４、２１２０２　情報表示部
　２２０１　情報格納部
　２２０２　情報送信部
　９１０２　商品情報読取部
　９１０３　合計金額算出部
　１４１０１　活性化部
　２１１０１　情報受渡部
　２１２０１　情報受取部
【図１】
2004106827.tif 000003
【図２】
2004106827.tif 000004
【図３】
2004106827.tif 000005
【図４】
2004106827.tif 000006
【図５】
2004106827.tif 000007
【図６】
2004106827.tif 000008
【図７】
2004106827.tif 000009
【図８】
2004106827.tif 000010
【図９】
2004106827.tif 000011
【図１０】
2004106827.tif 000012
【図１１】
2004106827.tif 000013
【図１２】
2004106827.tif 000014
【図１３】
2004106827.tif 000015
【図１４】
2004106827.tif 000016
【図１５】
2004106827.tif 000017
【図１６】
2004106827.tif 000018
【図１７】
2004106827.tif 000019
【図１８】
2004106827.tif 000020
【図１９】
2004106827.tif 000021
【図２０】
2004106827.tif 000022
【図２１】
2004106827.tif 000023
【図２２】
2004106827.tif 000024
【図２３】
2004106827.tif 000025
【図２４】
2004106827.tif 000026
【図２５】
2004106827.tif 000027
【図２６】
2004106827.tif 000028
【図２７】
2004106827.tif 000029